(57)【要約】      （修正有）【課題】旋回する現像装置に設けられた無線通信タグとアンテナの距離を一定にして、無線通信タグとアンテナの通信を安定させる。【解決手段】回転式現像装置４０の回転体１５０に保持された現像器１５２には、トナーカートリッジ１７０が着脱可能に装着されており、このトナーカートリッジ１７０に取り付けられた無線通信タグ１７２が、回転体１５０の回転に伴ってアーム１５０ｂの外周部（アーム１５０ｂの回転軌跡上近傍）に設けられたアンテナ１８４と対向する位置に移動したとき、トラッキングロール１５４ａがアンテナ保持部材１８２の一部（小基板１８２ｂの裏面）に当接して、現像器１５２が径の中心方向に向かって移動し、無線通信タグ１７２とアンテナ１８４の距離が一定になる。これにより、無線通信タグ１７２とアンテナ１８４との間の通信が安定して行われる。【選択図】図３
2007017463.tif 000002
【特許請求の範囲】
【請求項１】
複数の現像装置が着脱可能に装着される回転体と、
前記現像装置に取り付けられ、記憶媒体を有する無線通信タグと、
前記無線通信タグと通信するアンテナと、を有する画像形成装置において、
前記回転体の外周部に配置され、前記アンテナが固定されたアンテナ取付部材と、
前記現像装置に設けられ、前記アンテナ取付部材に当接して前記無線通信タグと前記アンテナの距離を一定とする位置出し部材と、を有することを特徴とする画像形成装置。
【請求項２】
前記アンテナ取付部材は、前記回転体の外周に沿って湾曲するプレートで構成され、前記位置出し部材は前記プレートの固定部分に当接し、前記アンテナは前記プレートの前記固定部分から離れた位置にあることを特徴とする請求項１に記載の画像形成装置。
【請求項３】
前記現像装置を前記回転体の径方向に移動可能に保持する第１保持手段を備え、前記位置出し部材は、像担持体に当接するトラッキングロールであることを特徴とする請求項１又は請求項２に記載の画像形成装置。
【請求項４】
前記アンテナ取付部材を前記回転体の径方向に移動可能に保持する第２保持手段を備えていることを特徴とする請求項１又は請求項２に記載の画像形成装置。
【請求項５】
前記アンテナ取付部材は、前記回転体の回転軸上に位置決めされ、装置本体側に固定されたフランジに取り付けられていることを特徴とする請求項１〜請求項４のいずれか１項に記載の画像形成装置。
【請求項６】
前記無線通信タグは、前記現像装置に交換可能に設けられたトナーカートリッジに取り付けられていることを特徴とする請求項１〜請求項５のいずれか１項に記載の画像形成装置。
【発明の詳細な説明】
【技術分野】
【０００１】
本発明は、複数の現像装置が着脱可能に装着される回転体を有する複写機、ファクシミリ、プリンター等の画像形成装置に関するものである。
【背景技術】
【０００２】
プロセスカートリッジ等のカートリッジ部品に電波通信機能及び情報の記憶機能を有するメモリー部材を取り付け、画像形成装置本体側にメモリー部材との間で情報の入出力を行うためのアンテナユニットを備えたものがある（特許文献１参照）。
【０００３】
特許文献１では、メモリー部材とアンテナユニットの間隙を精度良く維持するために、アンテナユニットのアンテナカバーを、メモリー部材を構成する記憶素子を覆う外装部材に接触させている。
【０００４】
一方、シアン、マゼンタ、イエロー、ブラックの各色に対応した現像器を円周上に配置したロータリー現像装置を備え、このロータリー現像装置を回転させることにより現像器を順次切り換えて、各色に対応した静電潜像が形成された感光体と対向させ、対応するカラートナーにより現像する所謂ロータリー現像方式を用いた画像形成装置がある。
【０００５】
このロータリー現像装置に配置された各色の現像器には、それぞれトナーカートリッジが装填されている。このトナーカートリッジには通信タグが取り付けられており、装置本体側に取り付けたアンテナとの間で通信が行われるようになっている。このとき、ロータリー現像装置の回転に伴ってトナーカートリッジも回転するため、特許文献１のような構成、つまり、通信タグをアンテナに常時接触させて通信を行うことはできない。
【０００６】
また、トナーカートリッジの長手方向の側面に通信タグを取り付け、ロータリー現像装置の長手方向の端部近傍に設けたアンテナとの間で通信を行うものがある。このような構成の場合、トナーカートリッジのロータリー現像装置に対するスラスト方向のガタや、各部品の公差の累積によって、精度良く通信を行うことが難しい。そこで、アンテナを与圧しながら通信タグと接触させて通信を行おうとすると、ロータリー現像装置が回転する際にアンテナを退避させなければならず、アンテナの退避機構等を設ける必要があり、部品点数が増大したり装置が複雑になってコストアップに繋がってしまう。
【特許文献１】特許第３４６１３３０号
【発明の開示】
【発明が解決しようとする課題】
【０００７】
本発明は、旋回する現像装置に設けられた無線通信タグとアンテナの距離を一定にして、無線通信タグとアンテナの通信を安定させることを目的とする。
【課題を解決するための手段】
【０００８】
請求項１に記載の発明は、複数の現像装置が着脱可能に装着される回転体と、前記現像装置に取り付けられ、記憶媒体を有する無線通信タグと、前記無線通信タグと通信するアンテナと、を有する画像形成装置において、前記回転体の外周部に配置され、前記アンテナが固定されたアンテナ取付部材と、前記現像装置に設けられ、前記アンテナ取付部材に当接して前記無線通信タグと前記アンテナの距離を一定とする位置出し部材と、を有することを特徴としている。
【０００９】
請求項１に記載の発明によれば、現像装置に設けられた位置出し部材がアンテナ取付部材に当接することで、回転体に着脱可能に装着された現像装置の無線通信タグと、無線通信タグと通信するアンテナの距離が一定になる。
【００１０】
これにより、回転体に対して現像装置ががたついていたり、回転体が偏芯しているときでも、無線通信タグとアンテナの距離が一定になるので、無線通信タグとアンテナとの間の通信が安定して行われる。
【００１１】
また、無線通信タグとアンテナの通信距離が安定するので、無線通信タグ内に搭載された、例えば送受信回路等の部品の公差の精度を高くする必要がない。つまり、部品の公差の許容値が大きくなるので、無線通信タグの製造の歩留まりが向上する。
【００１２】
さらに、アンテナ取付部材を回転体の外周部に設けることで、回転体と画像形成装置内に搭載された他の部品との隙間を有効利用できるので、画像形成装置が大型化する恐れがない。また、この場合、無線通信タグとアンテナの間の距離を極力小さくすることが可能となるので、ノイズを拾う恐れが少なく、安定した通信が行われる。
【００１３】
請求項２に記載の発明は、前記アンテナ取付部材は、前記回転体の外周に沿って湾曲するプレートで構成され、前記位置出し部材は前記プレートの固定部分に当接し、前記アンテナは前記プレートの前記固定部分から離れた位置にあることを特徴としている。
【００１４】
請求項２に記載の発明によれば、回転体の外周に沿って湾曲するプレートで構成されたアンテナ取付部材の固定部分に位置出し部材を当接させ、この固定部分から離れた位置にアンテナを設けることで、アンテナに位置出し部材が直接接触することがないので、アンテナが受ける衝撃が緩和される。これにより、無線通信タグとアンテナとの間の通信が安定する。
【００１５】
請求項３に記載の発明は、前記現像装置を前記回転体の径方向に移動可能に保持する第１保持手段を備え、前記位置出し部材は、像担持体に当接するトラッキングロールであることを特徴としている。
【００１６】
請求項３に記載の発明によれば、第１保持手段によって現像装置は回転体の径方向に移動可能に保持されており、像担持体に当接するトラッキングロールがアンテナ取付部材に当接する。これにより、現像装置が回転体の径方向に向かって移動して、無線通信タグとアンテナの距離が一定にされる。
【００１７】
このように、トラッキングロールで現像装置を移動させる構成を利用することで、アンテナ取付部材を移動させる構成とする場合と比較して、部品点数が増加することもないので、コストアップの恐れがない。
【００１８】
請求項４に記載の発明は、前記アンテナ取付部材を前記回転体の径方向に移動可能に保持する第２保持手段を備えていることを特徴としている。
【００１９】
請求項４に記載の発明によれば、第２保持手段によってアンテナ取付部材は回転体の径方向に移動可能に保持されており、位置出し部材がアンテナ取付部材に当接する。これにより、アンテナ取付部材が移動して無線通信タグとアンテナの距離が一定にされる。
【００２０】
請求項５に記載の発明は、前記アンテナ取付部材は、前記回転体の回転軸上に位置決めされ、装置本体側に固定されたフランジに取り付けられていることを特徴としている。
【００２１】
請求項５に記載の発明によれば、アンテナ取付部材は、回転体の回転軸上に位置決めされたフランジに取り付けられている。このため、現像装置の無線通信タグに対するアンテナ取付部材の位置出しが容易となる。
【００２２】
請求項６に記載の発明は、前記無線通信タグは、前記現像装置に交換可能に設けられたトナーカートリッジに取り付けられていることを特徴としている。
【００２３】
請求項６に記載の発明によれば、現像装置に交換可能に設けられたトナーカートリッジに無線通信タグが取り付けられており、現像装置に設けられた位置出し部材がアンテナ取付部材に当接することで、無線通信タグとアンテナの距離が一定になる。
【発明の効果】
【００２４】
本発明は上記構成としたので、現像装置が旋回しても無線通信タグとアンテナの距離を一定になり、無線通信タグとアンテナの通信が安定する。
【発明を実施するための最良の形態】
【００２５】
図１には、本発明の実施形態に係る無線通信システムを備えた画像形成装置１０の概略構成図が示されている。
【００２６】
（画像形成装置の概要）
図１に示すように、画像形成装置１０は、画像形成装置本体１２を有し、この画像形成装置本体１２の上部にヒンジ部１４を中心に回動自在の開閉カバー１６が設けられている。
【００２７】
画像形成装置本体１２は、図示しない駆動モータによって所定の回転速度で図示の矢印Ａ方向に回転する感光体ドラム５０を備えている。感光体ドラム５０の下方には、感光体ドラム５０の周面を帯電する帯電ローラ５２が設けられている。帯電ローラ５２の下方には露光装置６０が配置されており、この露光装置６０からレーザ光が出射され、感光体ドラム５０の周面上に静電潜像が形成される。
【００２８】
感光体ドラム５０の側方には回転式現像装置４０が配置されている。回転式現像装置４０は、イエロー（Ｙ）、マゼンタ（Ｍ）、シアン（Ｃ）、ブラック（Ｋ）の各色のトナーが収容された現像器１５２を有している。そして、回転式現像装置４０が９０度回転しながら、これらの現像器１５２から感光体ドラム５０にトナーが供給されて、感光体ドラム５０の周面上にフルカラーのトナー像が形成される。
【００２９】
感光体ドラム５０を挟んで回転式現像装置４０の反対側には、クリーニングブレード５６とトナー回収ボトル５８で構成されたクリーニング装置５４が設けられており、感光体ドラム５０の周面に残った転写残トナーがクリーニングブレード５６によって掻き取られ、トナー回収ボトル５８に回収される。
【００３０】
感光体ドラム５０の上方には、中間転写装置６２が配設されている。中間転写装置６２は、無端状の中間転写ベルト６４を備えている。中間転写ベルト６４は、ラップインロール６８、ラップアウトロール７０、二次転写バックアップロール７２、スクレーパバックロール７４及びブラシバックアップロール７６によって張架されており、ラップインロール６８とラップアウトロール７０の間で感光体ドラム５０の周面に当接しながら、図示の矢印Ｂ方向に走行する。
【００３１】
中間転写ベルト６４を挟んで感光体ドラム５０と対向する位置には、転写ロール６６が配置されている。この転写ロール６６によって、中間転写ベルト６４で搬送された用紙Ｐに、感光体ドラム５０に形成されたトナー像が転写される（一次転写）。
【００３２】
一方、画像形成装置本体１２の下部には、給紙トレイ４４が配置されている。給紙トレイ４４には用紙Ｐが収納されている。給紙トレイ４４の端部には、フィードロール４５及びリタードロール４７が配置されている。そして、給紙トレイ４４からフィードロール４５によって用紙Ｐが供給され、リタードロール４７によって捌かれて、搬送路４８に搬送される。そして、フィードロール４５とリタードロール４７の搬送方向下流側に配置されたレジストロール４９により一時停止され、タイミングを取って二次転写ロール８０と二次転写バックアップロール７２との挟持部へ搬送される。ここで、用紙Ｐ上にトナー像が転写され（二次転写）、後述する定着装置１８へ搬送され、定着装置１８で用紙Ｐ上に転写されたトナー像が定着される。そして、トナー像が定着された用紙Ｐは、ヒートロール２０と加熱ロール３０で加熱加圧され、定着装置１８の搬送方向上流側に設けられた搬送ロール４６によって、排出口４１から開閉カバー１６の上部に設けられた排出部３６へ排出される。
【００３３】
中間転写ベルト６４の感光体ドラム５０と反対側には、中間転写体クリーナ８２が設けられている。中間転写体クリーナ８２は、スクレーパ８４及びブラシロール８６を備えており、二次転写後に中間転写ベルト６４に残留した廃トナーをスクレーパ８４とブラシロール８６で掻き取って、トナー回収ボトル８８に回収する。以上が、画像形成プロセスである。
【００３４】
（回転式現像装置の概要）
次に、画像形成装置１０に搭載される回転式現像装置４０について説明する。
【００３５】
図２及び図３に示すように、回転式現像装置４０は、回転体１５０を備えている。回転体１５０は、軸部１５０ａと軸部１５０ａから半径方向へ伸びるアーム１５０ｂで構成されている。アーム１５０ｂの間には、イエロー（Ｙ）、マゼンタ（Ｍ）、シアン（Ｃ）、ブラック（Ｋ）の４つの現像器１５２が装填されており、現像器１５２の内部には、現像ロール１５４が回転可能に軸支されている。この現像ロール１５４の端部には、図示しないギア機構が設けられており、このギア機構によって現像ロール１５４が回転するようになっている。
【００３６】
また、現像ロール１５４は、図示しない現像剤収容部に形成された開口部から外周面の一部が露出しており、現像剤収容部内に収容されている現像剤（トナーとキャリアとからなる二成分現像剤）に含まれるキャリアを吸着して磁気ブラシを形成し、キャリアに吸着したトナーを感光体ドラム５０に供給するようになっている。これにより、感光体ドラム５０の静電潜像が可視化される。
【００３７】
また、現像器１５２には、円筒状のケーシング１５６が取り付けられている。このケーシング１５６に図４に示すようなトナーカートリッジ１７０が装填されると、ケーシング１５６に取り付けられた取入口（図示省略）を通じて、現像剤が現像剤収容部内へ補給される構成となっている。
【００３８】
一方、現像ロール１５４の両端部には、現像ロール１５４の直径よりもわずかに大きい直径のトラッキングロール１５４ａが、現像ロール１５４と同軸で回転するように設けられている。このトラッキングロール１５４ａが感光体ドラム５０の両端部に設けられたトラッキング５０ａに当接し、感光体ドラム５０と現像ロール１５４の間に所定の隙間を形成しつつ、現像ロール１５４によって感光体ドラム５０上の潜像をトナーで現像する。
【００３９】
また、現像器１５２の側壁１５８には、回転体１５０の径方向へ伸びる長孔１６０が、半径上に沿って２つ形成されている。この長孔１６０には、回転体１５０から伸びるアーム１５０ｂに設けられたピン１６２が挿入されている。これにより、現像器１５２は回転体１５０の径方向へスライド可能とされている。
【００４０】
回転体１５０の軸部１５０ａ近傍には、スプリング１６４が配置されており、このスプリング１６４に付勢されたピン１６６が現像器１５２を回転体１５０の径方向の外側へ向かって押圧している。これにより、トラッキングロール１５４ａは所定の圧力で感光体ドラム５０に当接するようになっている。
【００４１】
なお、本実施形態では、現像剤としてトナーとキャリアとからなる二成分現像剤を使用しているが、現像剤としては少なくともトナーを含んでいればよく、トナーのみからなる現像剤を使用してもよい。
【００４２】
図４に示すように、トナーカートリッジ１７０の円周上には、無線通信タグ１７２が取り付けられている。無線通信タグ１７２は絶縁性の基板１７４を有し、この基板１７４には、銅線等の銅線性線材又は導電性材料をコイル状に巻いて形成されたタグ側アンテナ１７６が取り付けられている。また、基板１７４には、メモリを内蔵した半導体チップ１７８が設けられており、この半導体チップ１７８にタグ側アンテナ１７６が接続されている。
【００４３】
半導体チップ１７８は、各トナーカートリッジ１７０についての画像形成処理状況、製造年月日、使用開始された使用開始日などの情報が記憶可能であり、且つ、不揮発性であるため電源を必要とせず、記憶内容が保持できるようになっている。この無線通信タグ１７２は、後述するアンテナ１８４との間で適宜通信されることで、半導体チップ１７８へ最新の画像形成処理状況に更新される。
【００４４】
一方、図２及び図３に示すように、回転体１５０の軸方向の外側には、フランジ１８０が設けられている。このフランジ１８０の外周面には、回転体１５０の軸と平行となるように、アンテナ保持部材１８２がフランジ１８０と一体成形されている。なお、フランジ１８０の軸上に設けられた軸部１８０ａに、回転体１５０の軸部１５０ａが挿入されることで、フランジ１８０は回転体１５０に対して位置出しされるが、画像形成装置本体１２に固定されて回転しない構成となっている。
【００４５】
また、アンテナ保持部材１８２は、フランジ１８０から回転式現像装置４０の外周面の一部を覆うように張り出している。図５に示すように、アンテナ保持部材１８２は、薄板状の大基板１８２ａと、大基板１８２ａよりも面積が小さく、板厚が大基板１８２ａよりも厚い小基板１８２ｂとで構成されている。大基板１８２ａの裏面（回転式現像装置４０に対向する側の面）には、アンテナ１８４が取り付けられている。アンテナ１８４は、絶縁性材料によって形成されたアンテナ基板１８４ａを有しており、このアンテナ基板１８４ａは、導電性線材又は導電性材料がコイル状に巻かれている。
【００４６】
このように、アンテナ１８４を回転体１５０から伸びるアーム１５０ｂの外周部、つまり、回転式現像装置４０の外周面に沿って設けることで、回転式現像装置４０と画像形成装置１０に搭載された他の部品との隙間を利用しやすくなり、画像形成装置１０が大型化しない。
【００４７】
図６（Ａ）に示すように、大基板１８２ａの裏面と回転式現像装置４０の外周面との間の隙間は、小基板１８２ｂの裏面と回転式現像装置４０の外周面との間の隙間よりも大きい構成となっている。すなわち、大基板１８２ａの裏面にはトラッキングロール１５４ａが当接しないようになっており、図６（Ｂ）に示すように、小基板１８２ｂの裏面にはトラッキングロール１５４ａが当接するようになっている。
【００４８】
小基板１８２ｂの裏面にトラッキングロール１５４ａが当接すると、トラッキングロール１５４ａは回転体１５０の径方向の中心に向かって押圧される。これに伴って、現像器１５２が回転体１５０の径の中心方向に押圧されて、現像器１５２の周面（無線通信タグ１７２が取り付けられた部分）とアンテナ１８４との間に一定の隙間が形成される。つまり、回転体１５０が回転してアンテナ保持部材１８２の小基板１８２ｂの裏面にトラッキングロール１５４ａが当接すると、アンテナ１８４と無線通信タグ１７２の距離が、各色ごとにばらつくことなく一定となり、アンテナ１８４と通信タグ１７２の間で通信が可能となる。
【００４９】
図３に示すように、本実施形態では、例えばイエロー（Ｙ）の現像器１５２が感光体ドラム５０と対向する位置にあるとき、マゼンタ（Ｍ）の現像器１５２に支持される現像ロール１５４の両端部に設けられたトラッキングロール１５４ａが、アンテナ保持部材１８２の小基板１８２ｂの裏面に当接する構成としている。
【００５０】
次に、本発明の実施形態の作用について説明する。
【００５１】
回転式現像装置４０の回転体１５０に保持された現像器１５２には、トナーカートリッジ１７０が着脱可能に装着されており、このトナーカートリッジ１７０に取り付けられた無線通信タグ１７２が、回転体１５０の回転に伴ってアーム１５０ｂの外周部（アーム１５０ｂの回転軌跡上近傍）に設けられたアンテナ１８４と対向する位置に移動したとき、トラッキングロール１５４ａがアンテナ保持部材１８２の一部（小基板１８２ｂの裏面）に当接して、現像器１５２が径の中心方向に向かって移動し、無線通信タグ１７２とアンテナ１８４の距離が一定になる。これにより、無線通信タグ１７２とアンテナ１８４との間の通信が安定して行われる。また、無線通信タグ１７２とアンテナ１８４の通信距離を極力狭く設定することが可能となるので、通信中にノイズを拾う恐れがない。
【００５２】
さらに、感光体ドラム５０と当接して現像ロール１５４と感光体ドラム５０との間隔を一定とするトラッキングロール１５４ａを利用して、現像器１５２を移動させる構成とすることで、無線通信タグ１７２またはアンテナ１８４を移動させる移動装置を別途設ける必要がなく、部品点数が増えることがない。
【００５３】
また、無線通信タグ１７２とアンテナ１８４の通信距離が安定するので、無線通信タグ１７２内に搭載された半導体チップ１７８等の公差の精度を高くする必要がない。つまり、半導体チップ１７８等の部品の公差の許容値が大きくなるので、無線通信タグ１７２の製造の歩留まりが向上する。
【００５４】
さらに、アンテナ１８４を、トラッキングロール１５４ａが当接する小基板１８２ｂから離れた位置にある大基板１８２ａの裏面に取り付けることで、アンテナ１８４にトラッキングロール１５４ａが直接接触することがない。これにより、アンテナ１８４が受ける衝撃が緩和され、無線通信タグ１７２とアンテナ１８４との間の通信が安定する。
【００５５】
また、アンテナ保持部材１８２は回転体１５０の回転軸上に位置決めされたフランジ１８０に取り付けられているので、無線通信タグ１７２に対するアンテナ保持部材１８２の位置出しが容易となる。
【００５６】
なお、本実施形態では、アンテナ保持部材１８２にトラッキングロール１５４ａを当接させることで、現像器１５２を径の中心方向に移動させる構成としたが、現像器１５２に突起部を設けて、この突起部をアンテナ保持部材１８２に当接させて現像器１５２を径の中心方向に移動させてもよい。このとき、突起部がトラッキングロール１５４よりも突出していると感光体ドラム５０に当接してしまうので、トラッキングロール１５４よりも突出しないようにして配置する必要がある。
【００５７】
また、本実施形態では、図３の上方にアンテナ保持部材１８２を配置したが、アンテナ保持部材１８２は、図の左側及び下側に配置してもよい。
【００５８】
さらに、アンテナ保持部材１８２は、フランジ１８０に一体成形する構成としたが、回転体１５０から伸びるアーム１５０ｂの外周部であれば、画像形成装置１０側に設けてもよい。
【００５９】
また、本実施形態では、トラッキングロール１５４ａをアンテナ保持部材１８２に当接させて現像器１５２を回転体１５０の径方向の中心に向かって移動させ、無線通信タグ１７２とアンテナ１８４の距離を一定とする構成としたが、アンテナ保持部材１８２を回転体１５０の径方向にスライド可能とし、トラッキングロール１５４ａをアンテナ保持部材１８２に当接させて、アンテナ保持部材１８２を回転体１５０の径方向の外側に移動させることで、無線通信タグ１７２とアンテナ１８４との間の距離を一定とする構成としてもよい。
【図面の簡単な説明】
【００６０】
【図１】本発明の実施形態に係る無線通信システムを備えた画像形成装置本体の概略構成図である。
【図２】本発明の実施形態に係る無線通信システムを備えた回転式現像装置を示す斜視図である。
【図３】本発明の実施形態に係る無線通信システムを備えた回転式現像装置を示す側面図である。
【図４】回転式現像装置に搭載されたトナーカートリッジを示す斜視図である。
【図５】回転式現像装置に設けられたアンテナ保持部材を示す斜視図である。
【図６】回転式現像装置とアンテナ保持部材との位置関係を示す側面図である。
【符号の説明】
【００６１】
１０  画像形成装置
４０  回転式現像装置（回転体）
５０  感光体ドラム
１５０  回転体
１５２  現像器
１５４  現像ロール（現像部材）
１５４ａ  トラッキングロール（突出部、トラッキング部材）
１６４  スプリング（第１保持手段）
１７０  トナーカートリッジ（カートリッジ）
１７２  無線通信タグ（無線通信システム）
１７８  半導体チップ（記憶媒体）
１８０  フランジ（固定部）
１８２  アンテナ保持部材
１８４  アンテナ（無線通信システム）
【図１】
2007017463.tif 000003
【図２】
2007017463.tif 000004
【図３】
2007017463.tif 000005
【図４】
2007017463.tif 000006
【図５】
2007017463.tif 000007
【図６】
2007017463.tif 000008